(57)【要約】【課題】構造を簡素化することができる電気泳動表示装置を提供する。【解決手段】多数の画素を具備する基板１５１と、基板１５１上に形成された第１画素電極１５５と、第１画素電極１５５上にスリット形状で形成された第２画素電極１５７と、第２画素電極１５７上に配置された電気泳動フィルム１３０とを含み、第２画素電極１５７は、複数のサブ画素毎に相違したスリット幅を有する。【選択図】図３
2010092000.tif 000002
【特許請求の範囲】
【請求項１】
多数の画素を具備する基板と、
前記基板上に形成された第１画素電極と、
前記第１画素電極上にスリット形状で形成された第２画素電極と、
前記第２画素電極上に配置された電気泳動フィルムと、を備え、
前記第２画素電極は、複数のサブ画素毎に相違したスリット幅を有することを特徴とする電気泳動表示装置。
【請求項２】
前記第２画素電極のスリット幅は、青色サブ画素よりも緑色サブ画素で大きく、緑色サブ画素よりも赤色サブ画素で大きいことを特徴とする請求項１に記載の電気泳動表示装置。
【請求項３】
前記第１画素電極にドレーン電極が接続された第１トランジスタと、前記第２画素電極にドレーン電極が接続された第２トランジスタと、をさらに備えたことを特徴とする請求項１に記載の電気泳動表示装置。
【請求項４】
前記第２画素電極には、一定のパルス幅を有する正極性または負極性電圧が供給されることを特徴とする請求項１に記載の電気泳動表示装置。
【請求項５】
前記第１画素電極には、パルス幅変調された正極性電圧、負極性電圧及び基準電圧が供給されることを特徴とする請求項１に記載の電気泳動表示装置。
【請求項６】
前記電気泳動フィルム上に設けられ、共通電極が形成された絶縁フィルムをさらに備えたことを特徴とする請求項１に記載の電気泳動表示装置。
【請求項７】
前記絶縁フィルム上に設けられ、光の経路を変更して視野角を広げる光補正フィルムをさらに備えたことを特徴とする請求項６に記載の電気泳動表示装置。
【請求項８】
前記光補正フィルムの表面には、エンボス（ｅｍｂｏｓｓｅｄ）パターンが形成されていることを特徴とする請求項７に記載の電気泳動表示装置。
【発明の詳細な説明】
【技術分野】
【０００１】
本発明は、電気泳動表示装置に関し、特に構造を簡素化することができる電気泳動表示装置に関するものである。
【背景技術】
【０００２】
最近、畳んでも巻いても損傷しないフレキシブルディスプレイ（Ｆｌｅｘｉｂｌｅ  Ｄｉｓｐｌａｙ）についての開発がなされている。このようなフレキシブルディスプレイ装置には、柔軟に製造された液晶表示装置及び有機電界発光表示装置のような既存の平板表示装置等や、電気泳動表示装置のような電子ペーパーが含まれる。
【０００３】
電気泳動表示装置（Ｅｌｅｃｔｒｏｐｈｏｒｅｔｉｃ  Ｄｉｓｐｌａｙ）は、電気泳動（Ｅｌｅｃｔｒｏｐｈｏｒｅｓｉｓ：電界内で荷電された粒子が陽極または陰極の側へ移動する現象）を利用した平板表示装置の一種である。また、電気泳動表示装置は、内部の光源を必要としない。すなわち、電気泳動表示装置は、金属薄膜やプラスチックのような薄くて曲げやすいベースフィルムに塗りつけられた透明の導電膜を利用し、電気泳動浮遊粒子（Ｅｌｅｃｔｒｏｐｈｏｒｅｔｉｃ  Ｓｕｓｐｅｎｓｉｏｎ  ｐａｒｔｉｃｌｅｓ）を駆動する反射型の表示装置である。このような電気泳動表示装置は、外部の光に対する反射率が紙とほぼ等しく、広視野角の特性により可読性に優れ、柔軟性と携帯性がよく、他にも軽量かつ薄型等といった特性を有する。このような点から、電気泳動表示装置は、次世代の電子ペーパー（Ｅｌｅｃｔｒｉｃ  Ｐａｐｅｒ）装置として脚光を浴びることと期待されている。
【０００４】
図１は、一般的な電気泳動表示装置の１つの画素を示した断面図である。図１に示されるように、一般的な電気泳動表示装置は、第１ベース基板５１上に画素別に下部電極５２、５３、５４が形成された下部基板５０を具備し、この下部基板５０上に順次配置された電気泳動フィルム３０、絶縁フィルム３３及び上部基板１０を具備する。絶縁フィルム３３の下面には、共通電極３１が形成される。また、上部基板１０は、赤色、緑色、及び青色カラーフィルタ１２、１３、１４が形成された第２ベース基板１１を具備する。電気泳動フィルム３０は、電子インクカプセルを含むポリマーを含んでいる。各電子インクカプセルは、ホワイトインク及びブラックインクからなる。
【０００５】
このような電気泳動表示装置は、下部基板５０の下部電極５２、５３、５４に任意の極性電圧を供給すると共に、共通電極３１に共通電圧を印加し、二電極の間で発生される電界によりホワイトインクとブラックインクとが互いに分離されるようにする。
【０００６】
例えば、下部電極５２、５３、５４に負極性電圧が印加されると、共通電極３１上の共通電圧は、相対的に正極性（＋）電位を有することになり、正極性（＋）電荷を帯びるホワイトインクは、下部基板５０側へ移動して、負極性（−）電荷を帯びるブラックインクは、上部基板１０側へ移動することになる。
【０００７】
反対に、下部電極５２、５３、５４に正極性電圧が印加されると、共通電極３１上の共通電圧は、相対的に負極性（−）電位を有することになり、正極性（＋）電荷を帯びるホワイトインクは、上部基板１０側へ移動して、負極性（−）電荷を帯びるブラックインクは、下部基板５０側へ移動することになる。
【０００８】
このような電気泳動表示装置では、下部電極５０に正極性電圧を印加することによって、ホワイトインクを上部基板１０側に向けて移動させる。そして、移動したホワイトインクは、外部からの光を上部基板１０に向けて反射させる。ホワイトインクにより反射された外部光（即ち、ホワイトカラー光）が各々のカラーフィルタ１２、１３、１４が形成された上部基板１０を透過することにより、色（即ち、カラー画像）が表示される。
【発明の開示】
【発明が解決しようとする課題】
【０００９】
しかしながら、一般的な電気泳動表示装置では、薄膜トランジスタ及び下部電極５２、５３、５４が形成された下部基板５０と電気泳動フィルム３０及び上部基板１０との合着時、整列不良等が頻繁に発生するという問題点があった。また、カラーフィルタ１２、１３、１４を通じて入射された外部光が、カラーフィルタ１２、１３、１４を通じて再度外部に透過する際に生じる光損失によって、外部光の反射率が低下するという問題点があった。
【００１０】
また、一般的な電気泳動表示装置では、上部基板１０に形成されたカラーフィルタ１２、１３、１４のカラー特性が、合着のための接着剤の耐熱品質により変化する問題があった。
【００１１】
本発明は、上記のような課題を解決するためになされたものであって、構造を簡素化することができる電気泳動表示装置を提供することにその目的がある。
【課題を解決するための手段】
【００１２】
本発明による電気泳動表示装置は、多数の画素を具備した基板と、基板上に形成された第１画素電極と、第１画素電極上にスリット形状で形成された第２画素電極と、第２画素電極上に配置された電気泳動フィルムとを備え、第２画素電極は、複数のサブ画素毎に相違したスリット幅を有することを特徴とする。
【発明の効果】
【００１３】
上述した構成によると、本発明による電気泳動表示装置は、第１画素電極上に、赤色、緑色及び青色のサブ画素毎に各々相違したスリット幅を有する第２画素電極を形成する。第２画素電極は、第１画素電極に供給されるデータ電圧のパルス幅を変調する。これにより、ポリマー内のホワイトインクとブラックインクとが、互いに分離される。この際、赤色、緑色及び青色画素領域の電子インクカプセルの上部に交互に配列されたホワイト粒子は、格子（グレイティング（ｇｒａｔｉｎｇ）、例えば回折格子）として機能し、特定の波長帯の光を反射して赤色、緑色及び青色を表示することになる。更に、本発明による電気泳動表示装置は、ホワイトインク等の鉛直方向の偏差を制御して、各々の光線の色の強さを変調可能で、階調表現が可能な特性を有する。従って、本発明による電気泳動表示装置は、一般的な電気泳動表示装置に具備されたカラーフィルタ基板を削除することで、構造を簡素化することができるだけでなく、高い色再現率を実現することができる。
【００１４】
本発明による電気泳動表示装置は、カラーフィルタ基板を具備しなくても映像を表示することができる。そのため、カラーフィルタ基板による光損失によって反射率が低下する等の問題を改善することができる。
【００１５】
また、本発明による電気泳動表示装置は、構造を簡素化することで、各構成要素等の合着の数を減らして整列不良を改善すると同時に、工程の数を減らして製造費用を節減することができる。
【００１６】
また、本発明による電気泳動表示装置は、カラーフィルタを使用しない構造として、一般的な電気泳動表示装置で発生するカラーフィルタの色再現率の信頼性低下の問題を防ぐことができる。
【００１７】
また、本発明による電気泳動表示装置は、構造が簡素化されることで、薄型化に有利であるだけではなく、軽くフレキシブル（ｆｌｅｘｉｂｌｅ）な製品の開発に有利である。
【発明を実施するための最良の形態】
【００１８】
以下、本発明の実施の形態を、有機発光ダイオード表示装置の図面を参照して詳細に説明する。次に紹介される実施の形態は、当業者に本発明の思想が充分に伝達されることができるようにするため、例として提供されるものである。従って、本発明は、説明された実施の形態に限定されず、異なる形態に具体化されることもできる。そして、図面等において、装置の大きさ及び厚さ等は、便宜のために誇張されて表現されることもある。明細書の全体にかけて同一の参照番号等は、同一の構成要素等を表す。
【００１９】
実施の形態１．
図２は、本発明の実施の形態１による電気泳動表示装置の構成を概略的に示した図面であり、図３は、図２の電気泳動表示パネル内の１つの画素を概略的に示した断面図である。
【００２０】
図２及び図３に示したように、本発明の実施の形態１による電気泳動表示装置は、画素毎に２個ずつの薄膜トランジスタ（ＴＦＴ：Ｔｈｉｎ  Ｆｉｌｍ  Ｔｒａｎｓｉｓｔｏｒ）が形成された電気泳動表示パネル１００と、薄膜トランジスタ（ＴＦＴ）をターンオン／オフさせるスキャンパルス信号を供給するゲート駆動部１８０と、画素の第１及び第２画素電極１５５、１５７に正極性または負極性電圧を供給するデータ駆動部１７０と、共通電極１３１に共通電圧を供給する共通電圧供給部１９０とを含む。
【００２１】
ゲート駆動部１８０は、電気泳動表示パネル１００上の多数のゲートラインを経由して多数の薄膜トランジスタＴＦＴのゲート電極と連結されている。また、ゲート駆動部１８０は、外部からのスキャン信号に応答して、１ラインずつ薄膜トランジスタＴＦＴを連続的にターンオンさせるスキャン信号を、電気泳動表示パネル１００に順次供給する。
【００２２】
データ駆動部１７０は、電気泳動表示パネル１００上の多数のデータラインのペアを経由して多数の薄膜トランジスタＴＦＴのペアのソース電極等と連結されている。また、データ駆動部１７０は、薄膜トランジスタＴＦＴのペアがターンオンされたときに、該当する画素の第１及び第２画素電極１５５、１５７にデータ電圧を供給する。
【００２３】
電気泳動表示パネル１００は、多数の画素を含み、１つの画素は、複数のサブ画素を含む。この電気泳動表示パネル１００は、電気泳動表示パネル１００の１つの画素を示す図３を参照して、詳細に説明される。
【００２４】
電気泳動表示パネル１００は、第１及び第２画素電極１５５、１５７が順次形成された下部基板１５１と、この下部基板１５１上に配置された電気泳動フィルム１３０、この電気泳フィルム１３０上に配置されると共に下面に共通電極１３１が形成された絶縁フィルム１３３、及び絶縁フィルム１３３上に配置されて光経路を変更する光補正フィルム１３５とを含む。下部基板１５１には、ベースフィルムが使用されてもよい。
【００２５】
１つの画素は、赤色（Ｒｅｄ）、緑色（Ｇｒｅｅｎ）及び青色（Ｂｌｕｅ）の光を表示することができる３個のサブ画素を含み、各々のサブ画素には、２個の薄膜トランジスタＴＦＴ（図示せず）が形成される。
【００２６】
第１画素電極１５５は、下部基板１５１上の各赤色（Ｒ）、緑色（Ｇ）及び青色（Ｂ）サブ画素毎に面形状で形成される。
【００２７】
第２画素電極１５７は、第１画素電極１５５上に多数のスリット（ｓｌｉｔ）形状で形成される。第２画素電極１５７のスリットは、赤色（Ｒ）、緑色（Ｇ）及び青色（Ｂ）サブ画素毎に相違した幅を有する。赤色（Ｒ）サブ画素の第２画素電極１５７のスリット幅は、緑色（Ｇ）サブ画素の第２画素電極１５７のスリット幅よりも大きく形成され、緑色（Ｇ）サブ画素の第２画素電極１５７のスリット幅は、青色（Ｂ）サブ画素の第２画素電極１５７のスリット幅よりも大きく形成される。
【００２８】
共通電極１３１が形成された絶縁フィルム１３３上には、光補正フィルム１３５が配置される。光補正フィルム１３５は、電気泳動表示パネル１００による外部の光の反射により画像が表示される際、透過する光の経路を変更して視野角を向上させる。
【００２９】
このような構造の本発明の実施の形態１による電気泳動表示装置は、赤色（Ｒ）、緑色（Ｇ）及び青色（Ｂ）サブ画素毎に互いに相違した幅のスリットを有する第２画素電極１５７を形成し、第２画素電極１５７に一定の正極性電圧または負極性電圧を供給すると共に第１画素電極１５５に供給されるデータ信号のパルス幅を調節することで、特定のグレーレベル（ｇｒｅｙ  ｌｅｖｅｌ）の色を表示することができる。
【００３０】
より具体的に説明すると、本発明の電気泳動表示装置は、第１画素電極１５５及びこの第１画素電極１５５上に配置されたスリット形状の第２画素電極１５７により、インク粒子等が格子（即ち、回折格子）状に配列される。そのため、外部から入射された光の中で特定の波長帯の光が光補正フィルム１３５側へ反射されるようにすることで、色（またはカラー画像）を表示する。ここで、本発明では具体的に説明しなかったが、第１画素電極１５５と第２画素電極１５７との間隔と、第２画素電極１５７のスリット幅とを調節することで、反射した光の波長帯及び反射した光のグレーレベルを調節することができる。
【００３１】
図４は、本発明の実施の形態１による赤色（Ｒ）サブ画素を示した断面図である。図４に示されたように、赤色（Ｒ）サブ画素は、ベースフィルム１５１上に２個の薄膜トランジスタＴＦＴが形成された下部基板上に順次配置された電気泳動フィルム１３０、共通電極１３１が形成された絶縁フィルム１３３、及び光補正フィルム１３５を含む。
【００３２】
下部基板は、ベースフィルム１５１上に形成されたゲート電極１６１を含む。ゲート電極１６１を含むベースフィルム１５１上には、ゲート絶縁膜１６２が形成されて、ゲート絶縁膜１６２上には、ソース／ドレーン電極１６３、１６４が形成される。
【００３３】
ソース／ドレーン電極１６３、１６４を含むゲート絶縁膜１６２上には、保護膜１５２が形成されて、保護膜１５２上には、第１画素電極１５５が形成される。ここで、第１画素電極１５５は、薄膜トランジスタＴＦＴのドレーン電極１６４と電気的に接続される。図示しなかったが、半導体パターンがゲート絶縁膜１６２とソース／ドレーン電極１６３、１６４との間に形成される。
【００３４】
第１画素電極１５５上には、絶縁膜１５６が形成されて、絶縁膜１５６上には、スリット形状の第２画素電極１５７ａが形成される。第２画素電極１５７ａは、図面には示さなかったが、画素毎に形成された別の薄膜トランジスタＴＦＴのドレーン電極と電気的に接続される。即ち、１つのサブ画素は、２個の薄膜トランジスタＴＦＴを含む。２個の薄膜トランジスタＴＦＴは、同時にターンオン、ターンオフされる。また、第２画素電極１５７ａに接続された別の薄膜トランジスタＴＦＴは、第１画素電極１５５に接続された薄膜トランジスタＴＦＴと同時に形成される。
【００３５】
電気泳動フィルム１３０は、ポリマーと、ポリマー内の電子インクカプセル１３７ａ、１３９ａとを含んでいる。１つのカプセル内に分布する電子インクは、ホワイトインク１３９ａ及びブラックインク１３７ａとなる。第１及び第２画素電極１５５、１５７ａが形成された領域と第１画素電極１５５のみが形成された領域とでは、共通電極１３１との電位差が異なるため、ホワイトインク粒子１３９ａ及びブラックインク粒子１３７ａは、図４に示すような格子（即ち、回折格子）状に配列される。
【００３６】
絶縁フィルム１３３の下面に形成された共通電極１３１は、電気泳動フィルム１３０と対向している。絶縁フィルム１３３の上面に形成された光補正フィルム１３５の表面には、エンボス（ｅｍｂｏｓｓｅｄ）パターンが形成される。
【００３７】
以上で説明した図４の赤色（Ｒ）サブ画素には、第１幅（ｄ１）のスリットを有する第２画素電極１５７ａと、この第２画素電極１５７ａの下部に第１画素電極１５５とが形成される。第１画素電極１５５にパルス幅が変調されたデータ電圧が供給され、第２画素電極１５７ａに一定の正極性または負極性電圧が供給されることで、特定の波長帯（赤色の波長帯）の光が反射される。
【００３８】
図５は、本発明の実施の形態１による緑色（Ｇ）サブ画素を示した断面図である。図５に示されたように、緑色（Ｇ）サブ画素は、ベースフィルム１５１上に２個の薄膜トランジスタＴＦＴが形成された下部基板上に順次配置された電気泳動フィルム１３０、共通電極１３１が形成された絶縁フィルム１３３、及び光補正フィルム１３５を含む。
【００３９】
下部基板は、ベースフィルム１５１上に形成されたゲート電極１６１を含む。ゲート電極１６１を含むベースフィルム１５１上には、ゲート絶縁膜１６２が形成されて、ゲート絶縁膜１６２上には、ソース／ドレーン電極１６３、１６４が形成される。
【００４０】
ソース／ドレーン電極１６３、１６４を含むゲート絶縁膜１６２上には、保護膜１５２が形成されて、保護膜１５２上には、第１画素電極１５５が形成される。ここで、第１画素電極１５５は、薄膜トランジスタＴＦＴのドレーン電極１６４と電気的に接続される。図示しなかったが、半導体パターンがゲート絶縁膜１６２とソース／ドレーン電極１６３、１６４との間に形成される。
【００４１】
第１画素電極１５５上には、絶縁膜１５６が形成されて、絶縁膜１５６上には、スリット形状の第２画素電極１５７ｂが形成される。第２画素電極１５７ｂは、図面には示さなかったが、画素毎に形成された別の薄膜トランジスタＴＦＴのドレーン電極と電気的に接続される。即ち、１つのサブ画素は、２個の薄膜トランジスタＴＦＴを含む。２個の薄膜トランジスタＴＦＴは、同時にターンオン、ターンオフされる。また、第２画素電極１５７ａに接続された別の薄膜トランジスタＴＦＴは、第１画素電極１５５に接続された薄膜トランジスタＴＦＴと同時に形成される。
【００４２】
電気泳動フィルム１３０は、ポリマーと、ポリマー内の電子インクカプセル１３７ａ、１３９ａとを含んでいる。１つのカプセル内に分布する電子インクは、ホワイトインク１３９ｂ及びブラックインク１３７ｂとなる。第１及び第２画素電極１５５、１５７ｂが形成された領域と第１画素電極１５５のみが形成された領域とでは、共通電極１３１との電位差が異なるため、ホワイトインク粒子１３９ａ及びブラックインク粒子１３７ａは、図５に示すような格子（即ち、回折格子）状に配列される。
【００４３】
以上で説明した図５の緑色（Ｇ）サブ画素には、第２幅（ｄ２）のスリットを有する第２画素電極１５７ｂと、この第２画素電極１５７ｂの下部に第１画素電極１５５とが形成される。
【００４４】
図６は、本発明の実施の形態１による青色（Ｂ）サブ画素を示した断面図である。図６に示されたように、青色（Ｂ）サブ画素は、ベースフィルム１５１上に２個の薄膜トランジスタＴＦＴが形成された下部基板上に順次配置された電気泳動フィルム１３０、共通電極１３１が形成された絶縁フィルム１３３、及び光補正フィルム１３５を含む。
【００４５】
下部基板は、ベースフィルム１５１上に形成されたゲート電極１６１を含む。ゲート電極１６１を含むベースフィルム１５１上には、ゲート絶縁膜１６２が形成されて、ゲート絶縁膜１６２上には、ソース／ドレーン電極１６３、１６４が形成される。
【００４６】
ソース／ドレーン電極１６３、１６４を含むゲート絶縁膜１６２上には、保護膜１５２が形成されて、保護膜１５２上には、第１画素電極１５５が形成される。ここで、第１画素電極１５５は、薄膜トランジスタＴＦＴのドレーン電極１６４と電気的に接続される。図示しなかったが、半導体パターンがゲート絶縁膜１６２とソース／ドレーン電極１６３、１６４との間に形成される。
【００４７】
第１画素電極１５５上には、絶縁膜１５６が形成されて、絶縁膜１５６上には、スリット形状の第２画素電極１５７ｃが形成される。第２画素電極１５７ｃは、図面には示さなかったが、画素毎に形成された別の薄膜トランジスタＴＦＴのドレーン電極と電気的に接続される。即ち、１つのサブ画素は、２個の薄膜トランジスタＴＦＴを含む。２個の薄膜トランジスタＴＦＴは、同時にターンオン、ターンオフされる。また、第２画素電極１５７ａに接続された別の薄膜トランジスタＴＦＴは、第１画素電極１５５に接続された薄膜トランジスタＴＦＴと同時に形成される。
【００４８】
電気泳動フィルム１３０は、ポリマーと、ポリマー内の電子インクカプセル１３７ａ、１３９ａとを含んでいる。１つのカプセル内に分布する電子インクは、ホワイトインク１３９ｃ及びブラックインク１３７ｃとなる。第１及び第２画素電極１５５、１５７ｃが形成された領域と第１画素電極１５５のみが形成された領域とでは、共通電極１３１との電位差が異なるため、ホワイトインク粒子１３９ａ及びブラックインク粒子１３７ａは、図６に示すような格子（即ち、回折格子）状に配列される。
【００４９】
以上で説明した図６の青色（Ｂ）サブ画素には、第３幅（ｄ３）のスリットを有する第２画素電極１５７ｃと、この第２画素電極１５７ｃの下部に第１画素電極１５５とが形成される。
【００５０】
図４〜図６に示されたように、本発明の電気泳動表示装置は、赤色（Ｒ）、緑色（Ｇ）及び青色（Ｂ）のサブ画素毎に第１〜第３幅（ｄ１、ｄ２、ｄ３）のスリットを有する第２画素電極１５７ａ、１５７ｂ、１５７ｃと、この第２画素電極１５７ａ、１５７ｂ、１５７ｃの下部に形成された第１画素電極１５５とを有する構造となる。これにより、第１画素電極１５５及び第２画素電極１５７ａ、１５７ｂ、１５７ｃにパルス幅が変調されたデータ電圧と、一定の正極性または負極性電圧とが供給される際、該当するサブ画素が特定の波長帯の光を反射させることで、映像が表示される。
【００５１】
図７は、本発明の実施の形態１による駆動電圧のパルス波形を示した図面である。図７に示されたように、説明の便宜のため、本発明の実施の形態１による駆動電圧パルスの波形を、Ｒ、Ｇ、Ｂ階調を表示する区間、白色（Ｗｈｉｔｅ）階調を表示する区間及びブラック（Ｂｌａｃｋ）階調を表示する区間に分けて説明する。
【００５２】
Ｒ、Ｇ、Ｂ階調を表示する区間において、本発明は、共通電圧を０Ｖの基準電圧レベルに設定し、スリット形状の第２画素電極１５７には、一定のパルス幅の正極性電圧（１５Ｖ）及び負極性電圧（−１５Ｖ）を連続的に供給する。第１画素電極１５５には、正極性電圧（１５Ｖ）、負極性電圧（−１５Ｖ）及び中間レベル電圧（０Ｖ）の各区間を有するパルス幅変調電圧を供給する。ここで、第１画素電極１５５に供給される正極性電圧のパルス幅は、該当する画素のデータ信号により変調される。
【００５３】
白色の階調を表示する区間において、本発明の共通電圧は、０Ｖの基準電圧レベルを維持し、第１画素電極１５５には、正極性電圧（１５Ｖ）を供給する。第２画素電極１５７には、正極性電圧（１５Ｖ）を供給する。即ち、すべてのサブ画素のホワイトインクは、光補正フィルム１３５の方向へ移動するので、該当する画素は、白色を表示する。
【００５４】
ブラック階調を表示する区間において、本発明の共通電圧は、０Ｖの基準電圧レベルを維持し、第１画素電極１５５には、負極性電圧（−１５Ｖ）を供給する。第２画素電極１５７には、負極性電圧（−１５Ｖ）を供給する。即ち、すべてのサブ画素のブラックインクは、光補正フィルム１３５の方向へ移動するので、該当する画素は、黒色を表示する。
【００５５】
本発明の実施の形態１による電気泳動表示装置は、第１画素電極上に、赤色、緑色及び青色のサブ画素毎に各々相違したスリット幅を有する第２画素電極を形成する。第２画素電極は、第１画素電極に供給されるデータ電圧のパルス幅を変調する。これにより、ポリマー内のホワイトインクとブラックインクとが、互いに分離される。この際、赤色、緑色及び青色画素領域の電子インクカプセルの上部に交互に配列されたホワイト粒子は、格子（グレイティング（ｇｒａｔｉｎｇ）、例えば回折格子）として機能し、特定の波長帯の光を反射して赤色、緑色及び青色を表示するようになる。更に、本発明の実施の形態１による電気泳動表示装置は、ホワイトインク等の鉛直方向の偏差を制御して、各々の光線の色の強さを変調可能で、階調表現が可能な特性を有する。従って、本発明の実施の形態１による電気泳動表示装置は、一般的な電気泳動表示装置に具備されたカラーフィルタ基板を削除することで、構造を簡素化することができるだけでなく、高い色再現率を実現することができる。
【００５６】
また、本発明の実施の形態１による電気泳動表示装置は、カラーフィルタ基板を具備しなくても映像を表示することができる。そのため、カラーフィルタ基板による光損失によって反射率が低下する等の問題を改善することができる。また、本発明の実施の形態１による電気泳動表示装置は、カラーフィルタを使用しない構造で、一般的な電気泳動表示装置で発生するカラーフィルタの色再現率の信頼性低下の問題を防ぐことができる。
【００５７】
また、本発明の実施の形態１による電気泳動表示装置は、構造を簡素化することで、各構成要素等の合着の数を減らして整列不良を改善すると同時に、工程の数を減らして製造費用を節減することができる。また、本発明の実施の形態１による電気泳動表示装置は、構造が簡素化されることで、薄型化に有利であるだけではなく、軽くフレキシブル（ｆｌｅｘｉｂｌｅ）な製品開発に有利である。
【００５８】
以上説明した内容を通じて当業者であると、本発明の技術思想を逸脱しない範囲で多様な変更及び修正が可能であることが分かれるだろう。従って、本発明の技術範囲は、明細書の詳細な説明に記載された内容に限定されることではなく、特許請求の範囲によって定めなければならない。
【図面の簡単な説明】
【００５９】
【図１】一般的な電気泳動表示装置の１つの画素を示した断面図である。
【図２】本発明の実施の形態１による電気泳動表示装置の構成を概略的に示した断面図である。
【図３】図２の電気泳動表示パネル内の１つの画素を概略的に示した断面図である。
【図４】本発明の実施の形態１による赤色（Ｒ）サブ画素を示した断面図である。
【図５】本発明の実施の形態１による緑色（Ｇ）サブ画素を示した断面図である。
【図６】本発明の実施の形態１による青色（Ｂ）サブ画素を示した断面図である。
【図７】本発明の実施の形態１による駆動電圧のパルス波形を示した図面である。
【符号の説明】
【００６０】
１００  電気泳動表示パネル、１３３  絶縁フィルム、１３５  光補正フィルム、１３７ａ  ブラックインク、１３９ａ  ホワイトインク、１５１  下部基板、１５５  第１画素電極、１５６  絶縁膜、１５７、１５７ａ、１５７ｂ、１５７ｃ  第２画素電極、１６１  ゲート電極、１６２  ゲート絶縁膜、１６３  ソース電極、１６４  ドレーン電極、１７０  データ駆動部、１８０  ゲート駆動部、１９０  共通電圧供給部。
【図１】
2010092000.tif 000003
【図２】
2010092000.tif 000004
【図３】
2010092000.tif 000005
【図４】
2010092000.tif 000006
【図５】
2010092000.tif 000007
【図６】
2010092000.tif 000008
【図７】
2010092000.tif 000009